(57)【要約】【課題】取り付けるとき犬に噛まれる危険性を減らすことができ、取り付けた状態でも口の中の診察や歯磨きなどの手入れをすることができる犬の噛みつき防止具を提供する。【解決手段】噛み具１１が、犬１の口２の両端の幅より長く、犬１の口２の両端に渡して噛まれたとき犬１の口２を開いた状態に保持可能な太さを有している。噛み具１１は、弾力性を有し、餌収納室２２と、餌を餌収納室２２に収納可能な開口２３と、開口２３を開閉可能な蓋２５と、蓋２５に形成された通気孔２６とを有している。通気孔２６は、餌収納室２２を外部に連通させている。固定紐１２が、噛み具１１に取り付けられ、噛み具１１を犬１の口２の両端に保持するよう犬１の頭部３に取付け可能である。【選択図】図１
2006121979.tif 000002
【特許請求の範囲】
【請求項１】
噛み具と固定紐とを有し、
前記噛み具は、犬の口の両端の幅より長く、餌収納室と通気孔とを有し、前記通気孔は前記餌収納室を外部に連通させており、前記両端に渡して噛まれたとき犬の口を開いた状態に保持可能な太さを有し、
前記固定紐は、前記噛み具に取り付けられ、前記噛み具を前記両端に保持するよう犬の頭部に取付け可能であることを、
特徴とする犬の噛みつき防止具。
【請求項２】
前記噛み具は、弾力性を有し、前記餌を前記餌収納室に収納可能な開口と、前記開口を開閉可能な蓋とを有し、前記通気孔は前記蓋に形成されていることを、特徴とする請求項１記載の犬の噛みつき防止具。
【発明の詳細な説明】
【技術分野】
【０００１】
本発明は、犬の噛みつき防止具に関する。
【背景技術】
【０００２】
従来、一般的な犬の噛みつき防止具として、犬の口に被せる口輪がある。このような口輪として、籠を口と鼻とを覆うように被せるもの（特許文献１参照）や、鼻を出すように口さきにはめるもの（特許文献２参照）がある。
【０００３】
【特許文献１】特開平８−９８１７号公報
【特許文献２】特表２０００−５０４９３５号公報
【発明の開示】
【発明が解決しようとする課題】
【０００４】
しかしながら、一般的な口輪は、取り付けるとき犬が嫌がって抵抗することが多いため、噛まれる危険性が大きいという課題があった。また、取り付けた状態では犬の口を開けることができないため、口の中の診察や歯磨きなどの手入れができないという課題もあった。
【０００５】
本発明は、このような課題に着目してなされたもので、取り付けるとき犬に噛まれる危険性を減らすことができ、取り付けた状態でも口の中の診察や歯磨きなどの手入れをすることができる犬の噛みつき防止具を提供することを目的としている。
【課題を解決するための手段】
【０００６】
本発明に係る犬の噛みつき防止具は、噛み具と固定紐とを有し、前記噛み具は、犬の口の両端の幅より長く、餌収納室と通気孔とを有し、前記通気孔は前記餌収納室を外部に連通させており、前記両端に渡して噛まれたとき犬の口を開いた状態に保持可能な太さを有し、前記固定紐は、前記噛み具に取り付けられ、前記噛み具を前記両端に保持するよう犬の頭部に取付け可能であることを、特徴とする。
【０００７】
本発明に係る犬の噛みつき防止具は、例えば、犬の毛を刈り整えたり、犬の体の洗ったり、犬を診察したり、犬の歯磨きをするときなどに、犬に噛まれるのを防ぐために使用される。まず、餌収納室に犬の餌を入れ、噛み具を犬に噛ませる。このとき、通気孔が餌収納室を外部に連通させているため、犬が通気孔から出る餌の匂いを嗅いで、その習性から噛み具に噛みつく。このため、噛み具を無理に噛ませようとして手や腕などを犬に噛まれる危険性を減らすことができる。なお、餌は、ドッグフードなど、固体状または半練り状で匂いのあるものが好ましい。
【０００８】
犬が噛み具を噛んだならば、噛み具の位置を調整して噛み具を犬の口の両端に渡して噛ませ、固定紐を犬の頭部に取り付ける。これにより、犬の口を開いた状態に保持することができる。噛み具を取り付けた状態で犬の口は開いているため、犬に噛まれることなく、その口の中の診察や歯磨きなどの手入れをすることができる。
【０００９】
本発明に係る犬の噛みつき防止具で、前記噛み具は、弾力性を有し、前記餌を前記餌収納室に収納可能な開口と、前記開口を開閉可能な蓋とを有し、前記通気孔は前記蓋に形成されていることが好ましい。この場合、蓋を開閉して餌収納室に餌を容易に収納することができる。また、噛み具が弾力性を有しているため、犬に噛まれても壊れにくく、かつ、犬の口の中を傷付けにくい。
【００１０】
なお、本発明に係る犬の噛みつき防止具は、前記噛み具の両端部に犬の口からずれるのを防止するためのつばを有していてもよい。そのつばは、犬の口の大きさに合わせることができるよう前記噛み具に対してその長さ方向に取付位置を調節可能であってもよい。
【発明の効果】
【００１１】
本発明によれば、取り付けるとき犬に噛まれる危険性を減らすことができ、取り付けた状態でも口の中の診察や歯磨きなどの手入れをすることができる犬の噛みつき防止具を提供することができる。
【発明を実施するための最良の形態】
【００１２】
以下、図面に基づき、本発明の実施の形態について説明する。
図１乃至図４は、本発明の実施の形態の犬の噛みつき防止具を示している。
図１および図２に示すように、犬の噛みつき防止具１０は、噛み具１１と固定紐１２とを有している。
【００１３】
噛み具１１は、ゴム製で弾力性を有している。噛み具１１は、細長く、中央が円柱形状で、両端に向かって徐々に細くなるよう形成されている。噛み具１１は、犬１の口２の両端の幅より長い長さと、両端に渡して噛まれたとき犬１の口２を開いた状態に保持可能な太さとを有している。噛み具１１は、両端に半円環状の取付金具２１が取り付けられている。
【００１４】
噛み具１１は、中央に餌収納室２２を有している。餌収納室２２は、噛み具１１の表面に、中心角が９０度より小さい範囲で開口２３を有している。図２に示すように、餌収納室２２は、噛み具１１の表面から中心付近までの深さに設けられ、噛み具１１の幅方向に沿った断面形状が半円状の壁面２４を有している。餌収納室２２は、犬の餌を開口２３から内部に収納可能である。
【００１５】
餌収納室２２は、開口２３を開閉可能な蓋２５を有している。蓋２５は、開口２３よりやや大きく、噛み具１１の表面の曲面に沿った形状を成している。蓋２５は、図１（ａ）の開口２３を閉じる位置と、図１（ｂ）の開口２３を開ける位置との間で、噛み具１１の長さ方向に沿ってスライド可能に設けられている。図１および図２に示すように、蓋２５は、複数の円形の通気孔２６を有している。各通気孔２６は、餌収納室２２の蓋２５を閉じたとき、餌収納室２２を外部に連通させるようになっている。
【００１６】
図１に示すように、固定紐１２は、両端に輪３１が形成され、各輪３１がそれぞれ噛み具１１の両端の取付金具２１に取り付けられている。図１（ａ）に示すように、固定紐１２は、噛み具１１とともに取り囲む取付領域３２の大きさを調節可能な調節具３３を有している。調節具３３は、固定紐１２を２つに折って貫通させた貫通孔３４と、固定用ボタン３５とを有している。調節具３３は、固定用ボタン３５を押した状態で固定紐１２に沿って移動して取付領域３２の大きさを調節可能で、固定用ボタン３５を離して固定紐１２の任意の位置で固定可能になっている。固定紐１２は、噛み具１１を犬１の口２の両端に保持するよう、調節具３３で取付領域３２の大きさを調節して犬１の頭部３に取付け可能である。
【００１７】
次に、作用について説明する。
犬の噛みつき防止具１０は、例えば、犬１の毛を刈り整えたり、犬１の体の洗ったり、犬１を診察したり、犬１の歯磨きをするときなどに、犬１に噛まれるのを防ぐために使用される。まず、蓋２５を開け、開口２３から餌収納室２２に犬１の餌を入れ蓋２５を閉める。このように、蓋２５の開閉により餌収納室２２に餌を容易に収納することができる。餌としては、例えば、半練り状で犬に好まれる匂いのドッグフードが適している。
【００１８】
餌を入れた噛み具１１を犬１に噛ませる。このとき、通気孔２６が餌収納室２２を外部に連通させているため、犬１が通気孔２６から出る餌の匂いを嗅いで、その習性から噛み具１１に噛みつく。このため、噛み具１１を無理に噛ませようとして手や腕などを犬１に噛まれる危険性を減らすことができる。また、噛み具１１が弾力性を有しているため、犬１に噛まれても壊れにくく、かつ、犬１の口２の中を傷付けにくい。
【００１９】
図３に示すように、犬１が噛み具１１を噛んだならば、噛み具１１の位置を調整して噛み具１１を犬１の口２の両端に渡して噛まる。取付領域３２に犬１の頭部３が入るよう固定紐１２を犬１の頭部３に掛け、調節具３３で取付領域３２の大きさを調節して犬１の頭部３に取り付ける。これにより、犬１の口２を開いた状態に保持することができる。噛み具１１を取り付けた状態で犬１の口２は開いているため、犬１に噛まれることなく、その口２の中の診察や歯磨きなどの手入れをすることができる。
【００２０】
なお、図４に示すように、犬の噛みつき防止具１０で、餌収納室２２の蓋２５は、一端が噛み具１１の表面に固定され、他端をめくって開口２３を開閉可能に設けられていてもよい。また、蓋２５は他端にゴム製の留め輪４１を有し、噛み具１１は開口２３の脇に留め輪４１を掛けるためのフック４２を有していてもよい。この場合、犬の噛みつき防止具１０は、開口２３を閉じたとき留め輪４１をフック４２に掛けることにより、蓋２５がめくれるのを防止することができる。
【図面の簡単な説明】
【００２１】
【図１】本発明の実施の形態の犬の噛みつき防止具を示す（ａ）蓋を閉じた正面図、（ｂ）蓋を開けた正面図である。
【図２】図１に示す犬の噛みつき防止具の噛み具を示す斜視図である。
【図３】図１に示す犬の噛みつき防止具の使用状態を示す斜視図である。
【図４】図１に示す犬の噛みつき防止具の蓋の変形例を示す（ａ）蓋を閉じた正面図、（ｂ）蓋を開けた正面図である。
【符号の説明】
【００２２】
１    犬
２    口
３    頭部
１０  犬の噛みつき防止具
１１  噛み具
１２  固定紐
２１  取付金具
２２  餌収納室
２３  開口
２４  壁面
２５  蓋
２６  通気孔
３１  輪
３２  取付領域
３３  調節具
３４  貫通孔
３５  固定用ボタン
【図１】
2006121979.tif 000003
【図２】
2006121979.tif 000004
【図３】
2006121979.tif 000005
【図４】
2006121979.tif 000006